(57)【特許請求の範囲】
【請求項１】
コードレス電話機から発信して、発呼側端末機器に応答信号を送出する方式の電話回線網を介して相手端末機器に接続し、該コードレス電話機から発信した電話番号と予め記憶手段に記憶した相手端末機器の電話番号とを比較し、該相手端末機器が応答した時、該比較結果が一致していると該相手端末機器に対応する暗証番号のデータを、該相手端末機器に適合する信号に変換して自動的に該相手端末機器に送出する手段を有することを特徴とするコードレス電話機。
【請求項２】
前記相手端末機器が応答した時に送出する信号に対応するデータは、前記暗証番号のデータに続く休止時間のデータと、該休止時間の経過後相手端末機器を遠隔制御する信号に対応するデータとで構成されたものであることを特徴とする請求項１に記載のコードレス電話機。
【請求項３】
前記コードレス電話機はディジタルコードレス電話機であることを特徴とする請求項１または２に記載のコードレス電話機。
【発明の詳細な説明】
【０００１】
【発明の属する技術分野】
本発明はコードレス電話機に関し、特にコードレス電話機から定形的データを送出して、電話回線網を介して相手端末機器を遠隔操作する手段を有するコードレス電話機に関する。
【０００２】
【従来の技術】
従来の電話機は、すなわちコードレス電話機、アナログ電話機等の電話機にあっては、その電話機から電話回線網を介して、例えば留守番電話機を呼び出し、該留守番電話機の録音再生等を行おうとする場合、該留守番電話機で応答した後、電話機から暗証番号を送出し、それに続いて録音再生その他必要な操作を行うようになっている。
【０００３】
【発明が解決しようとする課題】
上記従来技術によると、電話機から電話回線網を介して例えば留守番電話機を呼び出して録音再生等を行う場合、暗証番号を忘れると、留守番電話機を電話回線網を介して遠隔操作することができないという問題点がある。
【０００４】
本発明はこの問題点を解決するために提案するもので、電話回線網を介して接続する相手端末機器の遠隔操作を行おうとする場合、暗証番号の記憶を必要とせず、しかも複雑な操作を行うことなく簡単な操作で上記遠隔操作を行うことを課題とする。
【０００５】
【課題を解決するための手段】
第１の発明は、請求項１に記載のように、コードレス電話機から発信して、発呼側端末機器に応答信号を送出する方式の電話回線網を介して相手端末機器に接続し、該コードレス電話機から発信した電話番号と予め記憶手段に記憶した相手端末機器の電話番号とを比較し、該相手端末機器が応答した時、該比較結果が一致していると該相手端末機器に対応する暗証番号のデータを、該相手端末機器に適合する信号に変換して自動的に該相手端末機器に送出する手段を有することを特徴とするコードレス電話機にある。
【０００６】
第２の発明は、請求項２に記載のように、上記第１の発明で、前記相手端末機器が応答した時に送出する信号に対応するデータは、前記暗証番号のデータに続く休止時間のデータと、該休止時間の経過後相手端末機器を遠隔制御する信号に対応するデータとで構成されたものであることを特徴とする。
【０００７】
第３の発明は、請求項３に記載のように、上記いずれかの発明で、前記コードレス電話機はディジタルコードレス電話機であることを特徴とする。
【０００８】
上記データの記憶及び該データの読み出し、信号への変換、送出等の制御はソフトウエア処理により実現することができ、請求項１、２に対応するソフトウエアは夫々異なったソフトウエアである。
【０００９】
【発明の実施の形態】
図１は本発明の実施の形態に係るシステム構成図、図２は本発明の実施の形態に係るディジタルコードレス電話機の要部ブロック図、図３はディジタルコードレス電話機に記憶するデータの構成図、図４は本実施の形態に係るシステムのフローチャートである。
また、本発明は、電話回線網に収容された被呼側端末機器として留守番電話機のみでなく、銀行サービス、座席予約システム等にも適用できるものである。
【００１０】
図１において、１は電話回線網（電話回線網１には、応答信号を送出する方式と、応答信号を送出しない方式とがある。）、２は留守番電話機、３はディジタルコードレス電話基地局（以下、「基地局」という。）、４はディジタルコードレス電話機（以下、「コードレス電話機」という。）、５は無線回線、６は銀行サービス端末機器、７は座席予約端末機器である。
【００１１】
図１は、電話回線網１に接続された端末機器として留守番電話機２、基地局３及び基地局３と無線回線５を介して接続されたコードレス電話機４、銀行サービス端末機器６、座席予約端末機器７を示し、留守番電話機２、銀行サービス端末機器６及び座席予約端末機器７は、基地局３及び電話回線網１を介してコードレス電話機４からの遠隔操作の対象となるものである。
【００１２】
図２において、４０１はアンテナ、４０２は無線信号の送受信を行う無線部、４０３は送信信号の変調、受信信号の復調を行う変復調部，４０４は送信信号の多重化、受信信号の復号化を行うディジタル伝送処理部（以下、「伝送処理部」という。）、４０５は送信信号のアナログ／ディジタル変換（以下、「Ａ／Ｄ変換」という。）、受信信号のディジタル／アナログ変換（以下、「Ｄ／Ａ変換」という。）等を行う音声処理部、４０６はコードレス電話機全般を制御する制御部、４０７はＰＢ信号発生部、４０８はダイヤル釦、機能釦等を有する操作部、４０９はソフトウエア及びデータ等を記憶するメモリ部、４１０は受話器、４１１は送話器である。
【００１３】
図３（Ａ）は、通信する相手端末機器の電話番号のデータと、該通信する相手端末機器の電話番号をコードレス電話機より送出した時から、該相手端末機器が応答するまでの時間を見積った休止時間のデータと、暗証番号のデータ（即ち、相手端末機器が応答したときに送出する信号に対応するデータ。）を一組としたデータの構成を示し、図３（Ｂ）は、通信する相手端末機器の電話番号のデータと、暗証番号のデータ（即ち、相手端末機器が応答した時に送出する信号に対応するデータ。）を一組としたデータの構成を示し、図３（Ｃ）は、上記図３（Ａ）及び（Ｂ）における暗証番号のデータに替えて使用するデータの構成を示すもので、暗証番号のデータと、休止時間のデータと、録音再生（録音したものを再生することをいう。）信号のデータ（即ち、遠隔制御信号のデータ）、即ち上記「暗証番号と制御信号のデータ」で構成されるデータの構成を示す。
【００１４】
図４は、電話回線網１に収容された留守番電話機２（被呼側）が着信に対して応答した時に、電話回線網１からコードレス電話機４（発呼側）に応答信号を送出する方式の電話回線網１にコードレス電話機４が収容された場合のシステムのフローチャートを示し、点線で示す部分のフローチャートは暗証番号のデータに替え、図３（Ｃ）に示すデータを用いた場合を示す。
図４のフローチャートに従ってコードレス電話機４の動作を説明する。
【００１５】
コードレス電話機４において、予め暗証番号（暗証番号に先立って送出する特殊信号を含む。）のデータを、操作部４０８を操作して、制御部４０６の制御によりメモリ部４０９に記憶しておく。
【００１６】
コードレス電話機４において発呼操作を行うと、操作部４０８から制御部４０６へ発呼情報が送出され、制御部４０６は該発呼情報を受信して、メモリ部４０９から発呼信号（発呼信号等制御上必要な信号はデータとしてメモリ部４０９に記憶されている。）を読み出し、これを伝送処理部４０４へ送付し、伝送処理部４０４は該発呼信号を受信してこれを多重化し、変復調部４０３へ送付し、該変復調部４０３で該発呼信号を変調して無線部４０２へ送付し、無線部４０２はこれを無線信号としてアンテナ４０１から無線回線５を介して基地局３へ送信する（ステップＳ１）。
【００１７】
基地局３は該発呼信号を受信して、コードレス電話機４との無線回線５を設定するとともに電話回線網１を起動する（ステップＳ２）。
【００１８】
次いでコードレス電話機４で相手留守番電話機２の電話番号を操作部４０８を操作してダイヤルすると、該ダイヤル情報は操作部４０８から制御部４０６へ送出され、制御部４０６は該ダイヤル情報を受信して、これに対応するＰＢ信号をＰＢ信号発生部４０７を制御して音声処理部４０５に送付し、音声処理部４０５は該ＰＢダイヤル信号をＡ／Ｄ変換し、伝送処理部４０４で多重化し、変復調部４０３で変調の処理を行い無線部４０２へ送付し、無線部４０２はこれを無線信号としてアンテナ４０１から無線回線５を介して基地局３へ送信する（ステップＳ３）。
【００１９】
制御部４０６は操作部４０８から上記ダイヤル情報を受信した時、上記ＰＢダイヤル信号の送出制御とともに、メモリ部４０９に記憶してある特定の相手端末機器である留守番電話機の電話番号のデータを読み出し、該電話番号のデータと上記操作部４０８から送出されたダイヤル情報とを比較し、一致すれば現在発信中の相手は留守番電話機２であり、電話回線網１から基地局３、無線回線５を介してコードレス電話機４に応答信号が来た時、暗証番号を送出する特定の相手端末機器であることを記憶しておく。基地局３は上記ＰＢダイヤル信号を受信して、これを電話回線網１へ送付し、電話回線網１は該ＰＢダイヤル信号を受信して（ステップＳ４）基地局３と留守番電話機２とを電話回線網１を介して接続し（ステップＳ５）、留守番電話機２に着信信号を送出する（ステップＳ６）。
【００２０】
留守番電話機２で上記着信信号を受信して（ステップＳ７）応答すれば（ステップＳ８）、電話回線網１は該応答を検出し（ステップＳ９）、基地局３へ応答信号を送出し（ステップＳ１０）、基地局３は該応答信号を受信して、これを無線回線５を介してコードレス電話機４へ送信する。
【００２１】
コードレス電話機４は上記応答信号をアンテナ４０１から無線部４０２で受信して、これを変復調部４０３へ送って復調して伝送処理部４０４へ送り、伝送処理部４０４は該応答信号を復号して制御部４０６へ送り、制御部４０６は該応答信号を受信すると（ステップＳ１１）、前記のように当該相手端末機器は、相手端末機器の応答した時に暗証番号を送出する相手であることを記憶しているので、メモリ部４０９から予め記憶してある暗証番号のデータを読み出し、該暗証番号のデータに対応するＰＢ信号（以下、「暗証番号のＰＢ信号」という。）をＰＢ信号発生部４０７から音声処理部４０５へ送り、以後該暗証番号のＰＢ信号は前記ＰＢダイヤル信号を送出する場合の動作と同様にしてアンテナ４０１から無線回線５を介して基地局３へ送信され（ステップＳ１２）、基地局３は該ＰＢ信号を受信して，これを電話回線網１を介して留守番電話機２へ送出する。
【００２２】
留守番電話機２は上記暗証番号のＰＢ信号を受信して（ステップＳ１３）、以後コードレス電話機４から送られる遠隔操作のための信号を受信することが可能となることを示す信号音を送出する（ステップＳ１４）。
【００２３】
上記図４のフローチャートに従ったコードレス電話機４の動作説明において、暗証番号のデータに替え、図３（Ｃ）に示す暗証番号のデータと休止時間のデータと録音再生信号のデータとを用いることにより、ステップＳ１１以降の動作は以下に述べるような動作となる。
【００２４】
前記のようにコードレス電話機４において、当該相手端末機器が応答した時に、上記暗証番号と録音再生を送出する相手端末機器であることを記憶しているので、ステップＳ１１に続いてメモリ部４０９から予め記憶してある暗証番号のデータと、休止時間のデータと、録音再生信号のデータとからなるデータを読み出し、前記ステップＳ１２の動作と同様に暗証番号のＰＢ信号を送出し、留守番電話機２は該暗証番号のＰＢ信号を受信して（ステップＳ１３）、以後コードレス電話機４から送られる遠隔操作のための信号を受信することが可能となることを示す信号音を送出する（ステップＳ１４）。
【００２５】
コードレス電話機４は、上記暗証番号のＰＢ信号を送出した後、休止時間のデータにより、留守番電話機２が上記ステップＳ１４に達するまでの時間を待合せ（ステップＳ２６）、該休止時間の経過後、録音再生信号のデータに対応するＰＢ信号（以下、「録音再生のＰＢ信号」という。）を送出する（ステップＳ２７）。
【００２６】
留守番電話機２は上記録音再生のＰＢ信号を受信して録音再生を行う。
【００２７】
通信を終了してコードレス電話機４で終話すれば、操作部４０８から制御部４０６へ終話情報が送出され、制御部４０６は該終話情報を受信して、メモリ部４０９から終話信号を読み出し、前記発呼信号送出の場合と同様な動作で該終話信号をアンテナ４１１から無線回線５を介して基地局３へ送信する。
【００２８】
基地局３は上記終話信号を受信して、コードレス電話機４との無線回線５を開放することにより、コードレス電話機４は平常状態に戻り（ステップＳ１５）、又基地局３は電話回線網１を開放するので電話回線網１は基地局３からの該開放情報により平常状態に戻り（ステップＳ１６）、それによって留守番電話機２も平常状態に戻る（ステップＳ１７）。
【００２９】
上記説明において、コードレス電話機４は、ＰＢ信号発生部４０７を有し、暗証番号及びダイヤル情報等をそれぞれのデータに対応するＰＢ信号に変換して無線回線５を介して基地局３へ送出しているが、コードレス電話機４にＰＢ信号発生部４０７を設けないで、基地局３にＰＢ信号発生部４０７と同一の機能を設け、コードレス電話機４から上記暗証番号、録音再生、録音消去等の遠隔操作のためのデータ及びダイヤル情報等を送出する場合は、メモリ部４０９から読み出したデータをデータのまま制御部４０６から伝送処理部４０４へ送付し、伝送処理部４０４において多重化し、変復調部４０３で変調を行い、無線部４０２において無線信号としてアンテナ４０１から無線回線５を介して基地局３へ送信し、基地局３は上記データを受信して、該データを当該データに対応するＰＢ信号に変換して、これを電話回線網１へ送出することも可能である。
【００３０】
以上の説明は、図１において、コードレス電話機４から無線回線５、基地局３及び電話回線網１を介して留守番電話機２への接続する場合の動作であるが、電話回線網１に接続された銀行サービス端末機器６、座席予約端末機器７等に対してもそれぞれのサービス又は端末機器に対応したデータをコードレス電話機４に記憶し、且つ、該データに対応する機能釦をコードレス電話機４に設けることにより留守番電話機２に対する動作と同様に銀行サービス、座席予約等に対する暗証番号の送出及び遠隔操作が可能である。
【００３１】
【発明の効果】
以上説明したように、本発明によれば、暗証番号を記憶する必要がなく簡単な操作で遠隔操作を行うことが可能となり、銀行サービス，座席予約等電話回線網を介した各種サービスにも使用することができるという効果が得られる。
【図面の簡単な説明】
【図１】本発明の実施の形態を示すシステム図
【図２】ディジタルコードレス電話機の要部ブロック図
【図３】ディジタルコードレス電話機に記憶するデータの構成図
【図４】本発明の実施の形態のシステムのフローチャート
【符号の説明】
１…電話回線網                           ２…留守番電話機
３…ディジタルコードレス電話基地局       ４…ディジタルコードレス電話機
５…無線回線                             ６…銀行サービス端末機器
７…座席予約端末機器
４０１…アンテナ                     ４０２…無線部
４０３…変復調部                     ４０４…ディジタル伝送処理部
４０５…音声処理部                   ４０６…制御部
４０７…ＰＢ信号発生部               ４０８…操作部
４０９…メモリ部                     ４１０…受話器
４１１…送話器
【図１】
0003578535.tif 000002
【図２】
0003578535.tif 000003
【図３】
0003578535.tif 000004
【図４】
0003578535.tif 000005